(57)【要約】【課題】本発明は、試料を大気中に置きながらも、誘電体を介して荷電粒子を試料に照射することにより、その静電容量差から容易に試料表面の電位コントラストを検出し、試料表面の観測を可能とした荷電粒子線装置及びこれを用いた試料観測方法を提供することを目的とする。【解決手段】荷電粒子線を用いて試料表面を観測する荷電粒子線装置１００であって、  内部圧力を真空に保った真空筐体１０と、  該真空筐体の一部に設けられた誘電体膜１１と、  前記真空筐体の外部であって、前記誘電体膜に対向する位置に試料８０を載置する試料台６０と、  前記誘電体膜と前記試料との間に、前記誘電体と前記試料の双方に接触する誘電体９０を供給する誘電体供給手段７０と、  前記誘電体膜に前記真空筐体側から荷電粒子線を照射する荷電粒子線源２０と、  前記誘電体膜から前記真空筐体内に発生した電子を検出する電子検出器４０と、を備えたことを特徴とする。【選択図】図２
2008210715.tif 000002
【特許請求の範囲】
【請求項１】
荷電粒子線を用いて試料表面を観測する荷電粒子線装置であって、
内部圧力を真空に保った真空筐体と、
該真空筐体の一部に設けられた誘電体膜と、
前記真空筐体の外部であって、前記誘電体膜に対向する位置に試料を載置する試料台と、
前記誘電体膜と前記試料との間に、前記誘電体と前記試料の双方に接触する誘電体を供給する誘電体供給手段と、
前記誘電体膜に前記真空筐体側から荷電粒子線を照射する荷電粒子線源と、
前記誘電体膜から前記真空筐体内に発生した電子を検出する電子検出器と、を備えたことを特徴とする荷電粒子線装置。
【請求項２】
前記誘電体は、液体であることを特徴とする請求項１に記載の荷電粒子線装置。
【請求項３】
前記誘電体は、気体であることを特徴とする請求項１に記載の荷電粒子線装置。
【請求項４】
前記電子検出器は、所定領域の複数の電子を同時に検出できる複数検出画素を備えた二次元型電子検出器であって、
前記荷電粒子源は、前記二次元電子検出器に対応する前記試料上の前記所定領域に、電子線を同時照射する電子線源であることを特徴とする請求項１乃至３のいずれか１つに記載の荷電粒子線装置。
【請求項５】
荷電粒子線を用いて誘電性試料の表面を電位コントラストにより観測する荷電粒子線装置であって、
内部圧力を真空に保った真空筐体と、
該真空筐体の一部に設けられた誘電体膜と、
前記真空筐体の外部から、前記誘電体膜に前記誘電性試料の表面が接触するように前記誘電性試料を供給する誘電性試料供給手段と、
前記誘電体膜の所定領域に、前記真空筐体側から荷電粒子線を照射する荷電粒子線源と、
前記誘電体膜の前記所定領域から発生した電子を所定方向に導く二次電子光学系と、
前記二次電子光学系により導かれた電子を検出し、これに基づいて前記試料表面の前記所定領域の電位コントラストを検出する二次元型電子検出器と、を備えたことを特徴とする荷電粒子線装置。
【請求項６】
前記誘電性試料は、液体又は固体を含む液体であることを特徴とする請求項５に記載の荷電粒子線装置。
【請求項７】
前記誘電性試料は、気体、固体を含む気体又は液体を含む気体であることを特徴とする請求項５に記載の荷電粒子線装置。
【請求項８】
時間周期を計測するタイマを更に備え、
前記液体に含まれた前記固体、前記気体に含まれた前記固体又は前記気体に含まれた前記液体を検出する周期を前記タイマにより計測することにより、前記液体又は前記気体の流速を計測することを特徴とする請求項６又は７に記載の荷電粒子線装置。
【請求項９】
荷電粒子線を用いて試料表面を観察する試料表面観測方法であって、
試料を、内部が真空に保たれた真空筐体の外部であって、該真空筐体の一部に設けられた誘電体膜に対向して配置する工程と、
前記試料と前記誘電体膜との間に、前記試料と前記誘電体膜の双方に接触する誘電体を供給する工程と、
前記誘電体膜に、前記真空筐体の内部側から荷電粒子線を照射する工程と、
前記誘電体膜から前記真空筐体内部に発生した電子を検出する工程と、
該検出した電子に基づいて前記試料表面を観測する工程と、を有することを特徴とする試料表面観測方法。
【請求項１０】
前記誘電体は、液体であることを特徴とする請求項９に記載の試料表面観測方法。
【請求項１１】
前記誘電体は、気体であることを特徴とする請求項９に記載の試料表面観測方法。
【請求項１２】
前記荷電粒子線は、前記試料表面の所定領域を同時に照射可能な二次元型電子線であって、
前記電子を検出する工程は、前記所定領域から発生した電子を同時に検出することを特徴とする請求項９乃至１１のいずれか１つに記載の試料表面観測方法。
【請求項１３】
荷電粒子線を用いて誘電性試料の表面を電位コントラストにより観測する試料表面観測方法であって、
前記誘電性試料を、内部が真空に保たれた真空筐体の一部に設けられた誘電体膜に、外部から接触するように供給する工程と、
前記誘電体膜の所定領域に、前記真空筐体の内部側から荷電粒子線を照射する工程と、
前記誘電体膜の前記所定領域から前記真空筐体内に発生した電子を、所定方向に導く工程と、
前記所定方向に導かれた電子を検出し、前記所定領域の電位コントラストを取得する工程と、を有することを特徴とする試料表面観測方法。
【請求項１４】
前記誘電性試料は、液体又は固体を含む液体であることを特徴とする請求項１３に記載の試料表面観測方法。
【請求項１５】
前記誘電性試料は、気体、固体を含む気体又は液体を含む気体であることを特徴とする請求項１３に記載の試料表面観測方法。
【請求項１６】
荷電粒子線を用いて流体の誘電性試料の流速を観測する試料流速計測方法であって、
前記誘電性試料を、内部が真空に保たれた真空筐体の一部に設けられた誘電体膜に、外部から接触するように供給する工程と、
前記誘電性試料に、所定の混入物を周期的に混入する工程と、
前記誘電体膜に荷電粒子線を照射し、前記誘電体膜から発生した電子の周期的なパルスを検出する工程と、を有し、
該パルスの検出タイミングに基づいて、前記誘電性試料の流速を求めることを特徴とする試料流速計測方法。
【発明の詳細な説明】
【技術分野】
【０００１】
本発明は、荷電粒子線装置及びこれを用いた試料表面観察方法に関し、特に、大気圧下で試料の観測を行う荷電粒子線装置及びこれを用いた試料表面観察方法に関する。
【背景技術】
【０００２】
従来から、種々の産業分野において、微小な物体の表面を観測したり、微小領域の状態を観測したりする必要性が生じており、これに応えるため、種々の提案がなされている。
【０００３】
例えば、半導体分野では、回路の電気的特性を微小な範囲で観察されることが要求されており、集積回路に電子ビームを照射して、発生する２次電子線の強度差に基づいて電位コントラスト像を形成し、これと参照電位コントラスト像との比較から集積回路の故障解析を行う故障解析装置が知られている（例えば、特許文献１参照）。
【０００４】
また、医療分野でも、従来の光学顕微鏡では見えない大きさの対象を捉える必要性が高まっており、真空に耐えることができる電子透過膜を用い、これを介して大気中にある試料に電子線を照射し、その反射電子を検出して試料を観察する電子顕微鏡が知られている（例えば、特許文献２参照）。
【０００５】
更に、各検体に損傷を与えないように保持し、且つ容易に検体の分析、評価を行えるようにした検体セルを有する電気化学顕微鏡計測装置が知られている（例えば、特許文献３参照）。
【０００６】
また、高真空時の観察に用いている二次電子コレクタ電極や、試料微動ステージにリング状電極を設置し、電子収量を増大させ、像質を向上させるようにした低真空走査電子顕微鏡が知られている（例えば、特許文献４参照）。
【特許文献１】特開平５−１０７３２２号公報
【特許文献２】特開２００６−１４７４３０号公報
【特許文献３】特開２００４−１０８８６３号公報
【特許文献４】特開２００１−１２６６５５号公報
【発明の開示】
【発明が解決しようとする課題】
【０００７】
しかしながら、上述の特許文献１に記載の構成では、電子ビームを集積回路に照射する際は、試料である集積回路を高真空筐体に入れることが必要である。
【０００８】
また、上述の特許文献２に記載の構成では、試料を大気中に置いた状態で観察を行うことができるが、試料から反射した電子を検出してＳＥＭ像を形成するため、かなり大きなエネルギーの電子ビームを試料に照射する必要があり、また、ＳＥＭ型であるため、一点一点を電子ビーム照射して走査する必要があり、観測に長時間を要すという問題がある。
【０００９】
更に、上述の特許文献３に記載の構成では、検体セルや電極等を使用する必要があり、分析を行うために多大な準備を要するという問題がある。
【００１０】
また、上述の特許文献４に記載の構成では、試料の観察のために試料を低真空状態の筐体内に入れる必要があり、生体等の試料の観察には適用が困難である。
【００１１】
そこで、本発明は、試料を大気中に置きながらも、誘電体を介して荷電粒子を試料に照射することにより、その静電容量差から容易に試料表面の電位コントラストを検出し、試料表面の観測を可能とした荷電粒子線装置及びこれを用いた試料観測方法を提供することを目的とする。
【課題を解決するための手段】
【００１２】
上記目的を達成するため、第１の発明に係る荷電粒子線装置は、荷電粒子線を用いて試料表面を観測する荷電粒子線装置であって、
内部圧力を真空に保った真空筐体と、
該真空筐体の一部に設けられた誘電体膜と、
前記真空筐体の外部であって、前記誘電体膜に対向する位置に試料を載置する試料台と、
前記誘電体膜と前記試料との間に、前記誘電体と前記試料の双方に接触する誘電体を供給する誘電体供給手段と、
前記誘電体膜に前記真空筐体側から荷電粒子線を照射する荷電粒子線源と、
前記誘電体膜から前記真空筐体内に発生した電子を検出する電子検出器と、を備えたことを特徴とする。
【００１３】
これにより、誘電体膜、誘電体及び試料により形成された静電容量の相違に基づく放出電子の差から試料表面の電位コントラストを知ることができ、容易に試料表面を観測することができる。
【００１４】
第２の発明は、第１の発明に係る荷電粒子線装置において、
前記誘電体は、液体であることを特徴とする。これにより、誘電体に液体を利用することにより、容易に誘電体の供給を行うことができる。
【００１５】
第３の発明は、第１の発明に係る荷電粒子線装置において、
前記誘電体は、気体であることを特徴とする。これにより、誘電体に液体が利用できない場合であっても、容易に誘電体の供給を行うことができる。
【００１６】
第４の発明は、第１〜３のいずれか１つの発明に係る荷電粒子線装置において、
前記電子検出器は、所定領域の複数の電子を同時に検出できる複数検出画素を備えた二次元型電子検出器であって、
前記荷電粒子源は、前記二次元電子検出器に対応する前記試料上の前記所定領域に、電子線を同時照射する電子線源であることを特徴とする。これにより、高速で試料表面を観測することができる。
【００１７】
第５の発明に係る荷電粒子線装置は、荷電粒子線を用いて誘電性試料の表面を電位コントラストにより観測する荷電粒子線装置であって、
内部圧力を真空に保った真空筐体と、
該真空筐体の一部に設けられた誘電体膜と、
前記真空筐体の外部から、前記誘電体膜に前記誘電性試料の表面が接触するように前記誘電性試料を供給する誘電性試料供給手段と、
前記誘電体膜の所定領域に、前記真空筐体側から荷電粒子線を照射する荷電粒子線源と、
前記誘電体膜の前記所定領域から発生した電子を所定方向に導く二次電子光学系と、
前記二次電子光学系により導かれた電子を検出し、これに基づいて前記誘電性試料の表面の前記所定領域の電位コントラストを検出する二次元型電子検出器と、を備えたことを特徴とする。
【００１８】
これにより、試料が誘電性試料の場合には、誘電体を新たに供給することなく、誘電体膜に直接誘電性試料を接触させて荷電粒子線を照射することにより、誘電性試料の表面の電位コントラストを容易に観測することができる。
【００１９】
第６の発明は、第５の発明に係る荷電粒子線装置において、
前記誘電性試料は、液体又は固体を含む液体であることを特徴とする。これにより、液体の試料又は液体に固体の混入物がある誘電性試料の表面観察を行うことができる。
【００２０】
第７の発明は、第５の発明に係る荷電粒子線装置において、
前記誘電性試料は、気体、固体を含む気体又は液体を含む気体であることを特徴とする。これにより、気体の誘電性試料についても表面の電位コントラストを観測することができる。
【００２１】
第８の発明は、第６又は第７の発明に係る荷電粒子線装置において、
時間周期を計測するタイマを更に備え、
前記液体に含まれた前記固体、前記気体に含まれた前記固体又は前記気体に含まれた前記液体を検出する周期を前記タイマにより計測することにより、前記液体又は前記気体の流速を計測することを特徴とする。これにより、流体の誘電性試料の流速を容易に測定することができる。
【００２２】
第９の発明に係る試料表面観測方法は、荷電粒子線を用いて試料表面を観察する試料表面観測方法であって、
試料を、内部が真空に保たれた真空筐体の外部であって、該真空筐体の一部に設けられた誘電体膜に対向して配置する工程と、
前記試料と前記誘電体膜との間に、前記試料と前記誘電体膜の双方に接触する誘電体を供給する工程と、
前記誘電体膜に、前記真空筐体の内部側から荷電粒子線を照射する工程と、
前記誘電体膜から前記真空筐体内部に発生した電子を検出する工程と、
該検出した電子に基づいて前記試料表面を観測する工程と、を有することを特徴とする。
【００２３】
これにより、誘電体を供給することにより、真空筐体外の大気中にある試料の表面を観測することができる。
【００２４】
第１０の発明は、第９の発明に係る試料表面観測方法において、
前記誘電体は、液体であることを特徴とする。これにより、液体誘電体を供給することにより、容易に試料表面を観測することができる。
【００２５】
第１１の発明は、第９の発明に係る試料表面観測方法において、
前記誘電体は、気体であることを特徴とする。これにより、試料の高速移動により、液体によれば液切れが起き易いときでも、気体の誘電体を利用することにより、試料表面を観測することができる。
【００２６】
第１２の発明は、第９〜１１のいずれか１つの発明に係る試料表面観測方法において、
前記荷電粒子線は、前記試料表面の所定領域を同時に照射可能な二次元型電子線であって、
前記電子を検出する工程は、前記所定領域から発生した電子を同時に検出することを特徴とする。これにより、高速で試料表面の広い領域を観測することができる。
【００２７】
第１３の発明に係る試料表面観測方法は、荷電粒子線を用いて誘電性試料の表面を電位コントラストにより観測する試料表面観測方法であって、
前記誘電性試料を、内部が真空に保たれた真空筐体の一部に設けられた誘電体膜に、外部から接触するように供給する工程と、
前記誘電体膜の所定領域に、前記真空筐体の内部側から荷電粒子線を照射する工程と、
前記誘電体膜の前記所定領域から前記真空筐体内に発生した電子を、所定方向に導く工程と、
前記所定方向に導かれた電子を検出し、前記所定領域の電位コントラストを取得する工程と、を有することを特徴とする。
【００２８】
これにより、誘電性試料の表面の電位コントラストを高速かつ容易に観測することができる。
【００２９】
第１４の発明は、第１３の発明に係る試料表面観測方法において、
前記誘電性試料は、液体又は固体を含む液体であることを特徴とする。これにより、液体の誘電性試料の表面を観測することができる。
【００３０】
第１５の発明は、第１３の発明に係る試料表面観測方法において、
前記誘電性試料は、気体、固体を含む気体又は液体を含む気体であることを特徴とする。これにより、気体又は混入物を含む気体の誘電性試料について表面を観測することができる。
【００３１】
第１６の発明に係る試料流速計測方法は、荷電粒子線を用いて流体の誘電性試料の流速を観測する試料流速計測方法であって、
前記誘電性試料を、内部が真空に保たれた真空筐体の一部に設けられた誘電体膜に、外部から接触するように供給する工程と、
前記誘電性試料に、所定の混入物を周期的に混入する工程と、
前記誘電体膜に荷電粒子線を照射し、前記誘電体膜から発生した電子の周期的なパルスを検出する工程と、を有し、
該パルスの検出タイミングに基づいて、前記誘電性試料の流速を求めることを特徴とする。
【００３２】
これにより、流体の誘電性試料の流速をパルスにより容易に測定することができる。
【発明の効果】
【００３３】
本発明によれば、試料を大気中に置いた状態で試料表面を短時間で観測することができ、生体等の試料の高速観測も可能となる。
【発明を実施するための最良の形態】
【００３４】
以下、図面を参照して、本発明を実施するための最良の形態の説明を行う。
【実施例１】
【００３５】
図１は、実施例１に係る荷電粒子線装置１００の全体構成図である。図１において、実施例１に係る荷電粒子線装置１００の主要構成要素は、真空筐体１０、誘電体膜１１、荷電粒子線源２０、二次電子光学系３０、電子検出器４０、コンピュータ５０、試料台６０及び誘電体供給手段７０を含む。
【００３６】
真空筐体１０は、真空状態の空間を作り出し、保つための筐体又は容器である。実施例１に係る荷電粒子線装置１００は、荷電粒子線を用いて試料表面の観測するものであるため、荷電粒子を作り出して試料に照射する必要があるが、荷電粒子線は、真空領域で生成及び制御されるものであるため、真空筐体１０が備えられている。
【００３７】
真空筐体１０は、その筐体内を真空に保つために、真空の耐えうる強度の材質で形成されることが好ましく、要求される真空度合に応じて、高真空部１３と低真空部１２とを備えてもよい。高真空部１３は、荷電粒子線及び電子が通過する領域であるため、高真空に保たれることが好ましく、例えば１０−５〜１０−６Ｐａ程度の真空状態に保たれてよい。
【００３８】
一方、低真空部１２は、必ずしも必須ではないが、必要に応じて設けるようにしてもよい。実施例１に係る荷電粒子線装置１００では、真空筐体１０の一部に誘電体膜１１を設け、外側の大気圧下の対向する位置に試料を載置し、誘電体膜１１に荷電粒子線を照射することにより、その電位コントラストを測定する。従って、誘電体膜１１は、大気と真空領域の境目に設けられることになり、その真空筐体１０の内部と外部からの圧力差が極めて大きくなるので、その圧力差を緩和すべく、低真空室１２を設けるようにしてよい。つまり、大気圧は、一般的に１０５Ｐａ程度であり、上述の１０−５〜１０−６Ｐａ程度の圧力の高真空状態とは、圧力差が極めて大きくなり、そのまま大気と高真空の境界に誘電体膜１１を用いる場合には、極めて強い強度が要求される。従って、これを緩和すべく、低真空部１２は、例えば、１００〜１０４Ｐａ程度に設定するようにしてもよい。このように低真空部１２を設けることにより、大気との圧力差に起因する誘電体膜１１にかかる力を軽減することができる。
【００３９】
但し、誘電体膜１１の強度が十分であり、大気と高真空状態との圧力差に耐えることができる場合には、必ずしも低真空部１２は設けなくてもよく、その用途と態様により適宜必要に応じて設けるようにしてよい。
【００４０】
真空筐体１０を真空状態するためには、真空ポンプ１４、１５を設けて真空筐体１０内部を真空排気してよい。また、真空ポンプ１４、１５は、例えばドライポンプ等が利用されてよく、要求する真空度合に応じて、ターボ分子ポンプやクライオポンプ等を利用してもよい。また、他に、チタンサブリメンションポンプや、イオンポンプを利用してもよい。図１において、真空ポンプ１５は、真空筐体１０の高真空部１３を真空排気し、真空ポンプ１４は、真空筐体１０の低真空部１２を真空排気しているが、真空筐体１０内部の真空度に変化を持たせなければ、１つの真空ポンプ１５のみを利用してもよく、逆にもっと多く室を設けて真空度を変化させる場合には、更に多く設けるようにしてもよい。例えば、荷電粒子線源２０の部分に更に真空ポンプを設けてもよく（図示せず）、この場合には、イオンポンプ等の吸着方式の真空ポンプを用いるようにしてもよい。
【００４１】
誘電体膜１１は、上述のように、真空筐体の一部を構成する誘電体性の薄膜である。誘電体膜１１は、絶縁性の膜であれば何でも好適に適用可能であるが、例えば、レジストやＳｉＯ２膜を利用してもよい。詳細は後述するが、実施例１に係る荷電粒子線装置１００では、誘電体薄膜も含めた静電容量差に基づいて電位コントラストを測定するため、誘電体膜１１は、その誘電率が安定した物資が好ましい。例えば、上述のレジストの誘電率εは約ε＝４であり、ＳｉＯ２膜はε＝３〜３．５であるが、その誘電率が予め分かっている材質であれば、種々の物質を利用してよい。
【００４２】
また、誘電体膜１１は、試料観測の際に、供給される誘電体９０と接触するため、ある程度弾性のある材質であればより好ましく、例えば樹脂系の材質が用いられてもよい。
【００４３】
試料台６０は、試料８０を載置するための手段である。試料台６０は、試料８０を誘電体膜１１の対向し、その隙間が極めて小さい位置で保持するため、そのような位置に制御可能な移動機能（鉛直方向の移動機能）を有することが好ましい。また、試料８０が、図１に示したような、半導体ウエハ等の基板状の対象である場合には、ある程度広い面積を観測する必要があるため、水平方向にも移動可能な移動機能を有することが好ましい。
【００４４】
なお、試料８０は、半導体ウエハ等の基板の他、種々の物体が対象となるが、試料の表面内の静電容量の相違に基づいて観測を行うため、試料内の平面上の位置によりその静電容量が変化する構造を有するものが、観測対象として特に好適である。
【００４５】
誘電体供給手段７０は、試料８０と誘電体膜１１との間に、誘電体９０を供給するための供給手段である。誘電体９０は、液体や気体、流動体等の流体が利用されることが好ましく、誘電体供給手段７０は、それらの物質状態の供給に適した手段を利用してよい、例えば、図１においては、液体供給用のバルブ７１と、液体供給用の配管７２を誘電体供給手段７０として用いている。誘電体供給手段７０の供給用配管７２の他端は、水道等の誘電体供給源（図示せず）に接続され、誘電体９０が供給可能に構成されてよい。
【００４６】
荷電粒子線源２０は、荷電粒子線を発生させ、これを試料に向けて発射するための手段である。荷電粒子線は、種々の荷電粒子が適用されてよいが、例えば、電子線であってもよい。電子線を荷電粒子線として用いる場合には、荷電粒子線源２０には、電子銃が適用されてよい。電子銃２０には、例えば、Ｌａｂ６を利用したものや、ショットキーバリアダイオードを利用したもの等、適宜好適なものを利用してよい。
【００４７】
荷電粒子線源２０は、細く絞った、ＳＥＭ（Ｓｃａｎ  Ｅｌｅｃｔｒｏｎ  Ｍｉｃｒｏｓｃｏｐｅ、走査型電子顕微鏡）に一般的に利用される荷電粒子線を発生させる形式であってもよいが、高速に試料全面を観測することができるように、ある程度の二次元面積を有した、二次元型荷電粒子線であることが好ましい。二次元型荷電粒子線は、楕円、長方形、矩形等の所定面積を有するビーム形状を有し、一度のビーム照射により、ある程度の面積の所定領域を同時に照射することができ、それらの所定照射領域を投影して結像させ、写真のように像を作ることができる。このようにすれば、誘電体膜１１の所定領域を一度に照射し、その所定領域の電位コントラストを一度に観測することができる。電位コントラスト像は、その像が完全な像でない場合であっても、周囲との比較の相対的な電位差によってその試料８０の表面状態を観察するのに十分な場合もあり得る。従って、相対電位差を観測するという観点からも、一度に広い領域の電位コントラストを得ることができる方が好ましい。このような観点から、所定面積を広く照射するビーム形状は、本発明に適用するのに大変に好ましい形式である。そして、上述の試料台６０の移動又は荷電粒子線自体の移動により試料８０の荷電粒子線照射位置を移動させれば、比較的高速で試料８０の全面を観測することができる。なお、このような形式を、以下、「写像投影型」と呼ぶことにする。
【００４８】
なお、荷電粒子線源２０から発射された荷電粒子線は、一次荷電粒子光学系レンズ郡２１により、誘電体膜１１の方向に導かれ、最終的には、誘電体膜１１に照射されるように構成されている。真空筐体１０の内部から、誘電体膜１１に照射された荷電粒子線は、誘電体膜１１を介して、誘電体９０及び試料８０に照射される。なお、一次荷電粒子光学系レンズ郡２１のレンズは、静電レンズや電磁レンズ等、種々の形式が適用されてよい。
【００４９】
次に、二次電子光学系の説明を行う。二次電子光学系３０は、誘電体膜１１から真空筐体１０内部に発生した電子を、所定の電子検出器４０の方向へ導くための手段である。二次電子光学系３０の主要構成要素は、対物レンズ３１と、Ｅ×Ｂフィルタ３２と、二次電子光学系レンズ郡３３とを含む。
【００５０】
対物レンズ３１は、誘電体膜１１の最も近くに配置され、荷電粒子線を誘電体膜１１に導くともに、誘電体膜１１から発生した電子を電子検出器４０に導く役割を果たす。対物レンズ３１は、例えば複数の電極から構成されてよく、全体としてレンズの役割を果たす構成であってよい。図１においては、対物レンズ３１は、３枚の電極から構成されている。
【００５１】
また、対物レンズ３１は、実施例１に係る荷電粒子線装置１００においては、レンズとしての役割を果たすとともに、コンダクタンス制限用アパーチャー又は差動排気用アパーチャーとしての役割も果たす。つまり、対物レンズ３１の各電極は、穴の開いた板状の形状をしており、真空筐体１０の内部を高真空部１３と低真空部１２に粗く仕切り、各々の圧力を保つための壁的な機能を果たしている。上述のように、低真空部１２を設けてこれを差動排気するとともに、低真空部１２内に誘電体膜１１を配置することにより、大気と真空領域の隔壁として作用している誘電体膜１１にかかる差圧を軽減することができるが、対物レンズ３１は、その差動排気部（低真空部）１２の一部を構成する役割をも果たしている。
【００５２】
なお、差動排気用アパーチャーと誘電体膜１１の圧力は、より大気圧に近い圧力に設定する場合には、その部分の真空を構成する分子は、電子に対して衝突断面積が小さいものを用いるのが好ましい。また、この場合、差動排気用アパーチャーである対物レンズ３１と隔壁である誘電体膜１１との間に専用ガス導入装置（図示せず）を設け、ガスを導入するとともに、差動排気用真空ポンプを導入ガス排気用と、高真空側用差動排気用真空ポンプを更に別途備えるようにしてもよい。
【００５３】
Ｅ×Ｂフィルタ３２は、電場と磁場を直交して発生させ、ローレンツ力により荷電粒子線及び二次電子光学系３０中の電子を所定の方向へ向かわせ、分離するための手段である。図１においては、例えば、荷電粒子線には電子線を用いたときには、斜め上方から発射された電子線の軌道を変え、鉛直下方の誘電体膜１１に向かわせるローレンツ力を働かせる。一方、電子線照射後に誘電体膜１１から発生した電子については、鉛直上方の電子検出器４０のある方向に向かわせ、一次系の電子線と二次系の電子を分離している。
【００５４】
二次電子光学系レンズ郡３３は、Ｅ×Ｂフィルタ３２を通過後の電子を、電子検出器４０に導くためのレンズである。図１においては、３段のレンズが示されているが、レンズの段数や、静電レンズ、電磁レンズ等の種類についても、荷電粒子線装置１００の態様により、適切な組み合わせとしてよい。
【００５５】
電子検出器４０は、誘電体膜１１から真空筐体１０内に発生した電子を検出するための検出器である。電子検出器４０は、二次系電子光学系３０により導かれた電子を検出できるものであれば、種々の態様の検出器が適用されてよいが、写像投影型の荷電粒子線装置１００に構成した場合には、電子検出器４０の検出面に複数の検出画素を有する二次元型電子検出器であることが好ましい。二次元型電子検出器４０には、ＣＣＤ（Ｃｈａｒｇｅ  Ｃｏｕｐｐｌｅｄ  Ｄｅｖｉｃｅ）の他、ＴＤＩ（Ｔｉｍｅ  Ｄｅｌａｙ  Ｉｎｔｅｇｒａｔｉｏｎ）−ＣＣＤ、ＥＢ−ＣＣＤ等を用いてよい。ＣＣＤ又はＴＤＩを利用する場合には、ＭＣＰ（Ｍｉｃｒｏ  Ｃｈａｎｎｅｌ  Ｐｌａｔｅ）又は電子増倍器により電子数を増倍し、蛍光板により電子から光に変換し、光信号を用いて電位コントラスト像を得るようにしてもよい。ＥＢ−ＣＣＤの場合には、誘電体膜１１から発生した電子を直接検出し、その電位コントラスト像を得ることができる。
【００５６】
コンピュータ５０は、モニタとしての役割を果たすとともに、種々の画像処理を行うための演算処理手段である。電子検出器４０で得られた電位コントラスト画像信号を記憶手段５１で記憶し、コンピュータ５０のモニタ画面から画像として出力するとともに、得られた画像を観測した後、種々の状態判定のために演算処理を実行してよい。また、単に画像モニタとして利用してもよく、その場合には、コンピュータ５０の代わりにモニタ用のディスプレイを適用してもよい。また、コンピュータ５０の内部には、時間や周期をカウントするタイマ等が備えられてもよい。
【００５７】
次に、図２を用いて、実施例１に係る荷電粒子線装置１００の観測原理について説明する。図２は、実施例１に係る荷電粒子線装置１００の誘電体膜１１と試料８０の部分の拡大図である。
【００５８】
図２において、試料８０は半導体ウエハが適用され、試料台６０上に載置され、その上部には、微小な隙間（例えば、約１〜２ｍｍ程度）を開けて、真空筐体１０の外壁が設けられている。真空筐体１０の中央部には、誘電体膜１１が設けられ、誘電体供給手段７０により供給された誘電体９０が、誘電体膜１１と試料８０との間に満たされている。また、誘電体膜１１の上部には、対物レンズ１１が設けられている。誘電体供給手段７０は、供給配管７２で誘電体９０を誘電体膜１１と試料８０との間に供給可能に構成され、バルブ７１によりその供給量とタイミングを制御できるように構成してよい。また、反対側には、吸込み用の配管７２ａと、制御用バルブ７１ａを設けるように構成してもよい。
【００５９】
このような状態で、誘電体膜１１と試料台６０との間の静電容量について考える。試料台６０は接地されており、その電位は０Ｖである。誘電体膜１１の誘電率は、εｒ１であるとする。また、誘電体膜１１と試料８０との間に供給された誘電体９０の誘電率は、εｒ２であり、試料８０の誘電率は、εｒ３であるとする。誘電体膜１１は、真空筐体１０内の真空領域の圧力と、真空筐体１０の大気圧の圧力に挟まれ、差圧により真空筐体１０の内部に押されて所定の極率で湾曲した状態となっている。一方、試料８０は、誘電体部分８１と、金属部分８２とが混在して構成されている。
【００６０】
このとき、図２における誘電体膜１１の中央部分の静電容量Ｃ０２と、紙面に向かってやや左寄りの部分の鉛直方向の静電容量Ｃ０１について比較する。まず、誘電体膜１１は、やや弾性を有し、変形しても厚さはほぼ一定であるので、静電容量は両方ともＣ１で等しい。一方、誘電体９０は、誘電体膜１１が真空と大気との圧力差から生じる力により内側に湾曲しているため、その厚さに中央部と左寄りの部分に差が生じている。従って、中央部の静電容量をＣ２とすれば、左寄り部分の静電容量は、Ｃ２’と表すことができる。また、試料８０については、厚さは一定であるので、誘電体部分８１については、静電容量は略一定でＣ３と表せるが、金属部分８２では、静電容量を持たない。
【００６１】
従って、試料８０の金属部分８２における、誘電体膜１１の真空側から見た静電容量Ｃ０１の値は、
【００６２】
【数１】
2008210715.tif 000003
一方、試料８０の誘電体部分８１における、誘電体膜１１の真空側から見た静電容量Ｃ０２の値は、
【００６３】
【数２】
2008210715.tif 000004
となる。
【００６４】
このような状態で、例えば、誘電体膜１１に電流密度Ｊｅの電子線をτ秒間照射したとすると、電荷注入量（Ｄｏｅｓ量）Ｑは、
【００６５】
【数３】
2008210715.tif 000005
となる。
【００６６】
従って、真空側から見た静電容量Ｃ０１、Ｃ０２に応じた電圧の変化が誘電体膜１１の真空側に生じ、それぞれの値は、
【００６７】
【数４】
2008210715.tif 000006
となる。
【００６８】
この誘電体膜１１の位置による電圧変化分により、試料８０の表面又は試料８０そのものの画像を静電容量の違いとして捉えることができる。つまり、電圧変化による電位コントラストは、試料８０の表面の静電容量コントラストを反映しており、従って、誘電体膜１１の電位コントラストを取得することにより、試料８０の表面の静電容量コントラストを把握することができる。
【００６９】
このように、大気中に載置した試料８０に、この試料から電子を発生させる程に強いＤｏｅｓ量（ドーズ量）の荷電粒子線を照射しなくても、誘電体膜１１の表面の電位コントラストを知ることができる程度のＤｏｅｓ量の荷電粒子線を照射することにより、試料８０の表面状態を観察することができる。また、誘電体膜１１の曲率又は誘電体９０の厚さの相違による静電容量の位置の相違（Ｃ２とＣ２’）を的確に把握できれば、それらを補正し、より正確に試料８０の表面を観察することができる。
【００７０】
なお、誘電体膜１１の湾曲を補正するために、二種類の誘電性物質から誘電体膜１１を構成してもよい。例えば、誘電体膜１１の強度と所望の二次電子放出率の両方を満足するために、二種類の誘電性物質から誘電体膜１１を構成してもよい。誘電体膜１１の真空側に所望の二次電子放出率の誘電性物質を配設し、試料８０側に強度の強い誘電性物質を配設するようにすれば、誘電体膜１１からの十分な二次電子の発生を確保しつつ、湾曲の少ない誘電体膜１１とすることができる。
【００７１】
また、大気圧に押されて湾曲した曲率によって、誘電体膜１１と接触する誘電体９０の静電容量が位置により異なるが（図２のＣ２’とＣ２）、この湾曲の曲率を予め計算し、誘電体膜１１の接触する誘電体９０の静電容量の変化分を補正するように、誘電体膜１１の真空側及び／又は試料側に誘電率の異なる誘電性物質を用いるようにしてもよい。
【００７２】
また、誘電体膜１１での電圧上昇分をなるべく低くするために、誘電体膜１１を構成する誘電性物質の総合静電容量は、なるべく大きくすることが好ましい。
【００７３】
なお、誘電体膜１１の厚さは、例えば、荷電粒子線のランディングエネルギーが３ｋｅＶ以上のときに、３００ｎｍ程度の誘電体膜１１を用い、更にランディングエネルギーが上がって１０ｋｅＶのときには、５００ｎｍ程度の誘電体膜１１を用いるようにしてもよい。これらは、態様により種々適切なものを適用してよい。
【００７４】
また、誘電体膜１１は、例えば誘電率ε＝４程度のレジスト膜、誘電率ε＝３〜３．５程度のＳｉＯ２膜を適用してよく、樹脂系の膜を好適に適用してよい。
【００７５】
また、誘電体９０は、水等の高誘電性の物質が種々適用可能であり、誘電体膜１１と試料８０とのクッションの役割も果たしている。
【００７６】
次に、図３を用いて、実施例１に係る荷電粒子装置１００ａの、図１とは異なる態様について説明する。図３は、荷電粒子装置１００ａの全体構成図である。
【００７７】
図３において、荷電粒子装置１００ａの本体の構成は図１に係る荷電粒子装置１００と同様であるが、誘電体供給手段７０ａの構成が、図１に係る荷電粒子装置１００と異なっている。
【００７８】
図３においては、誘電体供給手段７０ａから供給される誘電体９０ａは、気体が用いられており、それに伴い、誘電体供給手段７０ａは気体を提供するボンベ７３と、気体用の供給チューブ７４が用いられている。この場合にも、供給される気体は誘電性の気体であるので、電位コントラストに基づく静電容量コントラストから、試料８０の表面を観測することができる。例えば、試料８０の観測に当たり、試料台６０を高速に移動させる場合には、供給する誘電体９０が液体だと、その速度に供給が追い付かず、液体切れを起こすおそれがあるが、そのような場合には、誘電体９０ａを気体とすることにより、試料台６０を高速に移動する場合でも、誘電体９０ａを途切れさせることなく供給することができる。これにより、試料台６０の高速移動にも対応可能な荷電粒子線装置１００とすることができる。
【実施例２】
【００７９】
次に、実施例２に係る荷電粒子線装置２００について説明する。なお、実施例１の構成要素と同様の構成要素については、同一の参照符号を付してその説明を省略する。
【００８０】
図４は、実施例２に係る荷電粒子線装置２００の全体構成図である。図４において、荷電粒子線の照射及び検出に関する装置構成及び個々の構成要素は、実施例１に係る荷電粒子線装置１００と同様であるが、誘電体供給手段７０、７０ａが取り除かれた点で異なっている。
【００８１】
実施例２に係る荷電粒子線装置２００においては、試料８５自体が誘電性であり、そのため、実施例１において説明した誘電体供給手段７０、７０ａにより誘電体９０、９０ａを供給することなく、直接誘電性試料８５を誘電体膜１１に接触させて荷電粒子線を照射することにより、その観測が可能となっている。
【００８２】
なお、誘電性試料８５を載置する誘電性試料供給手段６５は、図４に係る荷電粒子線装置２００においては、実施例１に係る試料台６０と同様のものを用いてもよいが、誘電性試料８５自体が直接誘電体膜１１に接触するため、あまり大きく移動させる要求は少ないので、移動能力が高くなくても適用可能である。勿論、双方に適用可能なように、実施例１に適用した試料台６０をそのまま適用してもよいことは言うまでもない。
【００８３】
また、誘電性試料供給手段６５は、誘電性試料８５の受け皿となるプレート６６と載置台６７とから構成されているが、プレート６６は、例えば、誘電性試料８５が生体物質である場合には、直接載置台６７に載置するよりも、一旦プレート６６を介して載置する方が好ましいため、設けられたものである。従って、不要な場合は、取り除くようにしてよい。これらの誘電性試料供給手段６５は、誘電性試料８５を適切に誘電体膜１１に接触するように供給できれば、その種類や形式は問わない。
【００８４】
次に、図５を用いて、実施例２に係る荷電粒子線装置２００の観測方法について説明する。図５は、実施例２に係る荷電粒子線装置２００の誘電体膜１１と誘電性試料８５との関係を示した拡大図である。
【００８５】
図５において、誘電性試料供給手段６５の上に誘電性試料８５が載置され、誘電性試料８５の表面を覆おうように誘電体膜１１が接触している。誘電性試料８５には、異物８６が含まれている。誘電性試料８５は、例えば、血液や生体液等であってよく、例えば、血液等に異物８６が混入していないか否か等の血液検査等に、実施例２に係る荷電粒子線装置２００を適用することができる。
【００８６】
図５においても、図２で説明したのと同様に、異物の含まれていない位置の静電容量Ｃ０４と、異物の含まれている位置の静電容量Ｃ０５は異なるものとなる。つまり、誘電性試料８５の誘電率をεｒ４とし、異物８６の誘電率をεｒ５とすれば、誘電体試料８５自体の誘電率εｒ４の部分の静電容量がＣ４であれば、異物８６を含んだ箇所の静電容量はＣ５に変化する。従って、真空側から見た合計の静電容量は、異物８６を含まない部分の合計静電容量Ｃ０４と異物８６を含んだ部分の合計静電容量Ｃ０５について、各々以下のように求まる。
【００８７】
【数５】
2008210715.tif 000007
これから、図２において計算したのと同様に、（３）式によりドーズ量Ｑを考慮すれば、異物を含まない位置での電圧△Ｖ０４と、異物を含む位置での電圧△Ｖ０５は、各々以下のように求まる。
【００８８】
【数６】
2008210715.tif 000008
このように、誘電性試料８５に異物８６が含まれているときにも、実施例２に係る荷電粒子線装置２００によれば、電位コントラストを求めることができ、これに基づいて誘電性試料８５の静電容量コントラストを求めることができるので、誘電性試料８５の表面観測を行うことができる。
【００８９】
なお、誘電性試料８５は、血液であれば血液検査、他の生体液であれば生体検査を行うことができる。また、生体に限らず、他の誘電性試料８５についても、同様の方法で観察可能なことは言うまでもない。
【００９０】
図６は、図５とは異なる誘電性試料８５ａに対して、実施例２に係る荷電粒子線装置２００を適用した態様を示した図である。図６においては、誘電性試料８５ａが、柔らかい弾性体であるような場合に実施例２に係る荷電粒子線装置２００を適用した場合を示している。
【００９１】
図６において、誘電性試料８５は、試料供給手段６５の載置台６７の上にあるプレート６６上に載置されており、直接誘電性試料８５ａが誘電体膜１１に押し付けられるように接触している。これは、誘電性試料８５ａが柔らかい弾性体であるため、直接誘電体膜１１に押し付けるだけで静電容量回路を構成でき、適切に静電容量コントラストを検出できるからである。
【００９２】
なお、弾性体である誘電性試料８５ａは、ゴム状の物質の他、動物や人間の臓器、生体物質等を含んでよい。このように、弾性体の誘電性試料８５ａについても、実施例２に係る荷電粒子線装置２００により、その表面を観測することができる。
【００９３】
次に、図７を用いて、図４乃至図６とは異なる態様の実施例２に係る荷電粒子線装置２００ａの説明を行う。図７は、流体である誘電性試料８５ｂを観測する場合の荷電粒子装置２００ａの全体構成を示した図である。
【００９４】
図７において、誘電性試料供給手段６５ａから供給される誘電性試料８５ｂが液体又は気体であるため、誘電性試料供給手段６５ａが、流体供給配管６４、流体供給バルブ６８及び流体容器６９を備えている。
【００９５】
流体供給配管６４は、誘電体膜１１に流体である誘電性試料８５ｂが接触するような略密閉配管として構成されている。誘電性試料８５ｂである流体は、容器６９に収容され、流体供給バルブ６８によりその供給量等を制御され、流体供給配管６４内に供給される。また、流体供給配管６４を通った流体は、流体収容バルブ６８ａが開かれることにより、容器６９ａに収容されるように構成されてもよい。
【００９６】
流体供給配管６４を流れる流体に種々の不純物又は異物が混入していれば、誘電体膜１１から検出される電位コントラストによりその状態を観察することができる。誘電性試料８５ｂに混入している不純物又は異物は、その誘電率が異なる物質であれば、固体、液体又は気体であるか否かは問わない。液体や気体に固体の粉体や金属等の異種物体が混入している場合は通常あり得るし、液体同士又は気体同士であっても、成分が異なって誘電率が異なる物質が混入すれば、その静電容量及び電位コントラストに変化を及ぼし、その変化を検出可能だからである。また、この観測方法では、リアルタイムで流体中の異物の像を捉えることも可能である。
【００９７】
なお、図７に示した態様は、液体や気体等の流体である誘電性試料８５ｂに不純物又は異物が混入している場合の検査又は観測だけでなく、流体の流速測定に応用することもできる。
【００９８】
つまり、流体供給配管６４内を流れている流体に、粉体等の異物を所定の周期タイミングで混入し、その電位コントラストを検出すれば、異物が混入されたタイミングでパルスが検出されるので、その検出タイミング又は検出周期に基づいて、流体の流速を計測することができる。粉体等の異物は、後で回収すれば、誘電性試料８５ｂに悪影響を及ぼすこともない。なお、荷電粒子装置２００ａは、これらの周期や時間、タイミングを測定するために、タイマ等（図示せず）を備えていてよい。タイマは、例えばコンピュータ５０内に内蔵されているタイマを利用してもよい。
【００９９】
このように、実施例２に係る荷電粒子装置２００によれば、流体中の異物を観測又は発見できるだけでなく、誘電性試料８５ｂである流体の流速測定にも応用することができる。
【０１００】
なお、気体である誘電性試料８５ｂを観測する場合には、図３において説明した態様を利用してもよい。誘電性試料８５ｂとなる気体が、図３で示した誘電体供給用のボンベ７３等に収容可能であれば、これを用いて誘電性試料８５ｂを誘電体膜１１に接触するように供給すれば、同様に電位コントラストを測定できる。誘電性試料８５ｂの性質によっては、このような方法も適用可能である。
【実施例３】
【０１０１】
次に、図８を用いて実施例３について説明する。図８は、走査電子顕微鏡型（以下、「ＳＥＭ型」という。）の荷電粒子線装置３００に、本発明を適用した例を示した図である。
【０１０２】
図８において、実施例３に係るＳＥＭ型の荷電粒子線装置３００は、真空筐体１０とその関連構成物、試料台６０、誘電体供給手段７０については、今まで説明した写像投影型の荷電粒子線装置１００、１００ａ、２００、２００ａと同様である。一方、荷電粒子線源２０ａの位置と検出器４０ａの位置関係、及びそれに伴う一次電子光学系３５が、写像投影型の荷電粒子線装置１００、１００ａ、２００、２００ａとは異なっている。
【０１０３】
荷電粒子線源２０ａは、真空筐体１０の鉛直上方に設けられ、荷電粒子線源２０ａにより作られる一次荷電粒子線は、略真下の誘電体膜１１照射される。荷電粒子線は、広い断面積を有するビームではなく、むしろ細く絞られた電流密度の高いビームが用いられる。
【０１０４】
一次電子光学系３５は、一次荷電粒子線を誘電体膜１１に導くための手段であり、その構成要素は、一次電子光学系レンズ郡３４と、Ｅ×Ｂフィルタ３２と、対物レンズ３１であり、写像投影型の構成要素と類似しているが、その作用する方向が異なっている。
【０１０５】
一次電子光学系レンズ郡３４は、荷電粒子線源２０ａで生成された荷電粒子線を、誘電体膜１１の方向に向けるように導く手段である。
【０１０６】
Ｅ×Ｂフィルタは、一次系の荷電粒子線を直進させ、二次系の電子の方向を変え、検出器４０ａの方向に向かわせ、一次系の荷電粒子線と分離する。一次系の荷電粒子線と二次系の電子を分離するという点では、写像投影型の荷電粒子線装置１００、２００と共通であるが、一次系の荷電粒子線を直進させ、二次系の電子の方向を変えるという点で、写像投影型の荷電粒子線装置１００、２００と異なっている。
【０１０７】
対物レンズ３１は、一次系の荷電粒子線を絞るように作用しているという点で、写像投影型の荷電粒子線装置１００、２００と異なっている。差動排気用アパーチャーとして作用するという点においては、荷電粒子線装置１００、２００と共通している。
【０１０８】
電子検出器４０ａは、広い領域の電子を検出するものではなく、電子の強さのみを検出するという点で、写像投影型の荷電粒子線装置１００、２００の電子検出器４０とは異なっている。
【０１０９】
実施例３に係る荷電粒子線装置３００においても、試料８０を試料台６０上に載置し、誘電体９０を誘電体供給手段７０により供給することにより、その電位コントラストを検出し、静電容量コントラストに基づいて試料８０の表面を観測することが可能である。また、実施例３に係る荷電粒子線装置３００は、実施例１に係る外部から誘電体９０を供給して電位コントラストを測定する態様だけでなく、実施例２に係る誘電性試料８５、８５ａ、８５ｂを対象として観測可能である。
【０１１０】
このように、実施例３に係る荷電粒子線装置３００によれば、観測速度は写像投影型に劣るものの、同様に静電容量の変化に起因する電位コントラストの変化を検出し、試料８０、８０ａ及び誘電性試料８５、８５ａ、８５ｂを観測することができる。
【０１１１】
実施例１乃至３において説明したように、本発明の真空筐体１０に誘電体膜１０を設け、誘電体９０と試料８０又は誘電性試料８５との静電容量に基づいて電位コントラストを測定する構成は、種々の態様の荷電粒子線装置１００、１００ａ、２００、２００ａ、３００に適用することができる。
【０１１２】
以上、本発明の好ましい実施例について詳説したが、本発明は、上述した実施例に制限されることはなく、本発明の範囲を逸脱することなく、上述した実施例に種々の変形及び置換を加えることができる。
【図面の簡単な説明】
【０１１３】
【図１】実施例１に係る荷電粒子線装置１００の全体構成図である。
【図２】実施例１に係る荷電粒子線装置１００の誘電体膜１１と試料８０の図である。
【図３】実施例１に係る荷電粒子装置１００ａの全体構成図である。
【図４】実施例２に係る荷電粒子線装置２００の全体構成図である。
【図５】実施例２に係る荷電粒子線装置２００の誘電体膜１１と誘電性試料８５との関係を示した拡大図である。
【図６】図５とは異なる誘電性試料８５ａに対して、実施例２に係る荷電粒子線装置２００を適用した態様を示した図である。
【図７】流体の誘電性試料８５ｂを観測する荷電粒子装置２００ａの全体構成図である。
【図８】走査電子顕微鏡型の荷電粒子線装置３００に、本発明の適用例を示した図である。
【符号の説明】
【０１１４】
１０    真空筐体
１１    誘電体膜
１２    低真空室
１３    高真空室
１４、１５    真空ポンプ
２０、２０ａ    荷電粒子線源
２１    一次荷電粒子光学系レンズ郡
３０    二次電子光学系
３１    対物レンズ
３２    Ｅ×Ｂフィルタ
３３    二次電子光学系レンズ郡
３４    一次電子光学系レンズ郡
３５    一次電子光学系
４０    電子検出器
５０    コンピュータ
５１    記憶装置
６０    試料台
６４、７２    供給配管
６５    誘電性試料供給手段
６６    プレート
６７    載置台
６８、６８ａ、７１    バルブ
６９、６９ａ    容器
７０    誘電体供給手段
７３    ボンベ
７４    供給チューブ
８０    試料
８１    誘電体
８２    金属
８５、８５ａ、８５ｂ    誘電性試料
９０、９０ａ    誘電体
１００、１００ａ、２００、２００ａ、３００    荷電粒子線装置
【図１】
2008210715.tif 000009
【図２】
2008210715.tif 000010
【図３】
2008210715.tif 000011
【図４】
2008210715.tif 000012
【図５】
2008210715.tif 000013
【図６】
2008210715.tif 000014
【図７】
2008210715.tif 000015
【図８】
2008210715.tif 000016